【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
前方から後方への方向（ＤＦ、ＤＲ）を画定し、その周りを回転切削工具（２０）が回転方向（Ｒ）に回転可能な工具長手軸（Ａ）を有する、回転切削工具（２０）であって、前記回転切削工具（２０）は、
工具ホルダ（２４）であって、前記工具ホルダ（２４）は、
前記工具長手軸（Ａ）に沿って円周形に延び、工具ホルダ（２４）のホルダ前端（５０）でホルダ前面（４８）との境界を形成するホルダ周面（４６）、および
前記工具ホルダ（２４）に可動に取り付けられ、付勢部分（６４）を包含する付勢部材（６２）を含む調整機作（６０）、を含む、工具ホルダ（２４）と、
前記ホルダ前端（５０）で前記工具ホルダ（２４）に着脱可能に取り付けられた工具本体（２２）であって、前記工具本体（２２）は、
相反対側の本体前面および背面（２６、２８）、ならびにその間に延びる本体周面（３０）、および
各々が前記本体周面（３０）に配置されたインサートポケット（３４）を含む、角度を取って相隔てられた複数の切削部分（３２）であって、調整可能切削部分（３２Ａ）を含む複数の切削部分（３２）、を含み、
前記調整可能切削部分（３２Ａ）は、非屈曲位置と屈曲位置との間で調整可能であり、
前記屈曲位置において、前記調整可能切削部分（３２Ａ）は、前記付勢部分（６４）との付勢係合によって、前記前方方向（ＤＦ）に弾性変形させられる、工具本体と、を含む、回転切削工具（２０）。
【請求項２】
前記非屈曲位置において、前記調整可能切削部分（３２Ａ）の位置にある本体背面（２８）は、前記工具長手軸（Ａ）に垂直な本体面（ＢＰ）を画定し、
前記屈曲位置において、前記付勢部分（６４）は、前記本体面（ＢＰ）よりもさらに軸方向前方に延びる、請求項１に記載の回転切削工具（２０）。
【請求項３】
前記調整可能切削部分（３２Ａ）が、少なくとも前記本体の前面（２６）と背面（２８）とに開口する弾性陥凹部（６６）を含む、請求項１に記載の回転切削工具（２０）。
【請求項４】
前記弾性陥凹部（６６）が、前記本体周面（３０）に開口する、請求項３に記載の回転切削工具（２０）。
【請求項５】
前記弾性陥凹部（６６）が、前記本体周面（３０）の、前記調整可能切削部分（３２Ａ）の前記インサートポケット（３４）の回転方向前方部分に開口する、請求項４に記載の回転切削工具（２０）。
【請求項６】
前記回転切削工具（２０）の前面図において、前記弾性陥凹部（６６）が半径方向に延びる、請求項３に記載の回転切削工具（２０）。
【請求項７】
前記ホルダ前面（４８）が、ホルダ当接面（５２）を含み、
前記ホルダ前面（４８）は、その中に陥凹された少なくとも１つのホルダネジ孔（５４）を含み、
前記工具本体（２２）は、前記本体前面と背面と（２６、２８）に開口する少なくとも１つの本体貫通孔（５６）を含み、
保持ネジ（５８）が、各本体貫通孔（５６）中に配置され、それぞれのホルダネジ孔（５４）中にネジ受けされ、
前記ホルダの当接面（５２）が、前記本体背面（２８）の一部に当接する、請求項１〜６の何れか一項に記載の回転切削工具（２０）。
【請求項８】
前記複数の切削部分（３２）が、前記非屈曲位置と前記屈曲位置との間で調整可能でない調整不能切削部分（３２Ｂ）をさらに含み、
各本体貫通孔（５６）は、それぞれの調整不能切削部分（３２Ｂ）に配置される、請求項７に記載の回転切削工具（２０）。
【請求項９】
前記工具本体（２２）が表裏逆向きにできる、請求項１〜８の何れか一項に記載の回転切削工具（２０）。
【請求項１０】
前記付勢部材（６２）が、前記工具ホルダ（２４）に枢動可能に取り付けられたレバー（６８）である、請求項１〜９の何れか一項に記載の回転切削工具（２０）。
【請求項１１】
前記レバー（６８）が、レバー作動部分（８０）、および前記付勢部分（６４）と前記レバー作動部分（８０）との間に位置するレバー中間部分（８２）を含み、
前記レバー中間部分（８２）が、前記工具ホルダ（２４）上の少なくとも１つの支点面（８６）に枢支搭載された少なくとも１つのレバーの旋回面（８４）を含み、
前記レバー（６８）が、前記レバー作動部分（８０）に作動力（ＡＦ）を加えることによって、前記レバー（６８）が旋回軸（Ｐ）周りに枢動されると、前記付勢部分（６４）が前記調整可能切削部分（３２Ａ）と付勢係合するように構成される、請求項１０に記載の回転切削工具（２０）。
【請求項１２】
前記調整機作（６０）は、前記ホルダ前面（４８）で前記工具ホルダ（２４）中に陥凹されたレバーチャネル（９６）をさらに含み、前記レバーチャネル（９６）は、２つの相反対側のレバーチャネル側面（９８）およびその間に延びるレバーチャネル中央面（１００）を含み、
前記少なくとも１つの支点面（８６）は前記レバーチャネル（９６）中に配置される、請求項１１に記載の回転切削工具（２０）。
【請求項１３】
前記調整機作（６０）は、作動されると前記レバー（６８）を枢動するように構成された作動部材（１０６）をさらに含む、請求項１２に記載の回転切削工具（２０）。
【請求項１４】
前記作動部材（１０６）が作動ネジ（１０８）である、請求項１３に記載の回転切削工具（２０）。
【請求項１５】
前記レバー（６８）がレバーネジ孔（９２）を含み、
前記作動ネジ（１０８）が、一端にネジ接触面（１１０）を含み、
前記屈曲位置において、前記作動ネジ（１０８）は前記レバーネジ孔（９２）中にネジ係合され、前記ネジ接触面（１１０）が前記レバーチャネル中央面（１００）を押し付け、これにより前記レバー（６８）の枢動を誘発する、請求項１４に記載の回転切削工具（２０）。
【請求項１６】
前記レバー（６８）が、前記レバーの上面と底面と（７４、７６）の間に抜けるレバー貫通孔（９４）を含み、
前記レバーチャネル中央面（１００）が、その中に陥凹された軸方向に向いたチャネルネジ孔（１０２）を含み、
前記屈曲位置において、前記作動ネジ（１０８）は、前記レバー貫通孔（９４）中に配置され、前記チャネルネジ孔（１０２）中にネジ係合され、これにより前記レバー（６８）の枢動を誘発する、請求項１４に記載の回転切削工具（２０）。
【請求項１７】
前記工具本体（２２）が、前記作動ネジ（１０８）へのアクセスのため、前記本体前面と背面と（２６、２８）に開口するアクセス貫通孔（１１２）を含み、
前記アクセス貫通孔（１１２）は、前記作動ネジ（１０８）に回転して配列される、請求項１６に記載の回転切削工具（２０）。
【請求項１８】
前記レバーチャネル（９６）が、前記ホルダ周面（４６）中に陥凹され、前記ホルダ前面（４８）に開口する、請求項１２に記載の回転切削工具（２０）。
【請求項１９】
前記レバー（６８）が、２つの相反対側のレバー端面（７０）およびその間に延びるレバー周面（７２）を含み、前記レバー周面（７２）は、相反対側のレバー上面および底面（７４、７６）と、前記レバー上面および底面（７４、７６）をつなぐ２つの相反対側のレバー側面（７８）と、を含み、
前記レバー（６８）は、前記レバー端面（７０）の１つに隣接する前記２つの相反対側のレバー側面（７８）からそれぞれ外に延びる２つのレバーアーム（８８）を含み、
前記レバー（６８）は、１つずつ各レバーアーム（８８）に配置されたきっかり２つのレバー旋回面（８４）を含み、
前記レバーチャネル（９６）は、それぞれが前記２つの相反対側のレバーチャネル側面（９８）から外に延びて前記ホルダ前面（４８）に開口する２つのチャネル溝（１０４）を含み、
前記レバーチャネル（９６）は、１つずつ各チャネル溝（１０４）に配置されたきっかり２つの支点面（８６）を含む、請求項１２に記載の回転切削工具（２０）。
【請求項２０】
前記レバーチャネル（９６）が前記軸方向に延びる、請求項１２に記載の回転切削工具（２０）。
【請求項２１】
屈曲位置において、前記レバー（６８）が、前記ホルダ周面（４６）を超えて半径外部方向には延びない、請求項１２に記載の回転切削工具（２０）。
【請求項２２】
前記レバーチャネル（９６）が、前記ホルダ前面（４８）に陥凹される、請求項１２に記載の回転切削工具（２０）。
【請求項２３】
前記レバーチャネル（９６）が、前記ホルダ周面（４６）に開口する、請求項２２に記載の回転切削工具（２０）。
【請求項２４】
前記レバー（６８）が、２つの相反対側のレバー端面（７０）およびその間に延びるレバー周面（７２）を含み、前記レバー周面（７２）は、相反対側のレバー上面および底面（７４、７６）と、前記レバー上面および底面（７４、７６）をつなぐ２つの相反対側のレバー側面（７８）と、を含み、
前記レバー底面（７６）は、前記２つのレバー側面（７８）の間を横断方向に延びるレバー突出部（９０）を含み、
前記レバー（６８）は、前記レバー突出部（９０）上に配置されたきっかり１つのレバー旋回面（８４）を含み、
前記レバーチャネル（９６）は、前記レバーチャネル中央面（１００）中に陥凹され、前記２つのレバーチャネル側面（９８）の間を横断方向に延びる、チャネル溝（１０４）を含み、
前記レバーチャネル（９６）は、前記チャネル溝（１０４）中に配置されたきっかり１つの支点面（８６）を含む、請求項１２に記載の回転切削工具（２０）。
【請求項２５】
前記レバーチャネル（９６）が前記半径方向に延びる、請求項１２に記載の回転切削工具（２０）。
【請求項２６】
前記回転切削工具（２０）の側面図において、
前記レバー作動部分（８０）はレバー幅（Ｗ１）を有し、
前記レバーチャネル（９６）の中間部分はレバーチャネル幅（Ｗ２）を有し、
前記レバーチャネル幅（Ｗ２）は前記レバー幅（Ｗ１）よりも小さい、請求項１２に記載の回転切削工具（２０）。
【請求項２７】
前記調整機作（６０）が、前記工具ホルダ（２４）に着脱可能に取り付けられた径方向阻止部材（１１８）を含み、
前記レバー（６８）は、その一端にカットアウト（１２０）を含み、
前記径方向阻止部材（１１８）は、前記レバー（６８）が半径外側方向に変位されたとき、前記径方向阻止部材（１１８）が、前記レバー（６８）の経路を前記カットアウト（１２０）で遮るように構成される、請求項１２に記載の回転切削工具（２０）。
【請求項２８】
前記複数の切削部分（３２）が、前記非屈曲位置と前記屈曲位置との間で調整可能でない調整不能切削部分（３２Ｂ）をさらに含む、請求項１〜２７の何れか一項に記載の回転切削工具（２０）。
【請求項２９】
前記複数の切削部分（３２）が、複数の調整可能切削部分（３２Ａ）と複数の調整不能切削部分（３２Ｂ）と、を含み、
前記工具ホルダ（２４）が、複数の調整機作（６０）を含み、
前記複数の調整可能切削部分（３２Ａ）と前記複数の調整不能切削部分（３２Ｂ）とが前記本体周面（３０）に沿って交互に配置される、請求項２８に記載の回転切削工具（２０）。
【請求項３０】
各調整可能切削部分（３２Ａ）の前記インサートポケット（３４）が、前記本体前面（２６）で横向きに開口し、各調整不能切削部分（３２Ｂ）の前記インサートポケット（３４）が、前記本体背面（２８）で横向きに開口する、請求項２９に記載の回転切削工具（２０）。